(57)【要約】      （修正有）【課題】データ線の電位の変動を小さく抑えつつプリチャージを実行する。【解決手段】共通電極と、画素電極と、共通電極及び画素電極の間に設けられた液晶とを含む液晶素子を具備する画素と、共通電極に共通電極信号を供給する電源供給回路と、画素電極にデータ信号を供給するデータ線駆動回路と、を備え、データ線駆動回路は、期間Ｔ1と期間Ｔ1に後続する期間Ｔ2とにおいて、データ信号の電位Ｖd[n]をプリチャージ電位Ｖpr1に設定し、期間Ｔ2に後続する期間Ｔ3において、データ信号の電位を画素の表示する階調を指定するデータ電位Ｖdt1[n]に設定し、電源供給回路は、期間Ｔ1において、共通電極信号の電位Ｖcomを第１電位ＶcomLに設定し、期間Ｔ2及び期間Ｔ3において、共通電極信号の電位をプリチャージ電位を基準として第１電位とは逆極性の電位である第２電位ＶcomHに設定する、ことを特徴とする電気光学装置。【選択図】図３
2015197581.tif 000002
【特許請求の範囲】
【請求項１】
第１電極と、第２電極と、前記第１電極及び前記第２電極の間に設けられた液晶とを含
む液晶素子を具備する画素と、
前記第１電極に電極信号を供給する電極信号供給部と、
前記第２電極にデータ信号を供給するデータ信号供給部と、
を備え、
前記データ信号供給部は、
第１期間と前記第１期間に後続する第２期間とにおいて、前記データ信号の電位をプリ
チャージ電位に設定し、
前記第２期間に後続する第３期間において、前記データ信号の電位を前記画素の表示す
る階調を指定するデータ電位に設定し、
前記電極信号供給部は、
前記第１期間において、前記電極信号の電位を第１電位に設定し、
前記第２期間及び前記第３期間において、前記電極信号の電位を前記プリチャージ電位
を基準として前記第１電位とは逆極性の電位である第２電位に設定する、
ことを特徴とする電気光学装置。
【請求項２】
前記データ信号供給部は、
前記データ電位を、前記第２電位を基準として前記プリチャージ電位と同極性となるよ
うに設定する、
ことを特徴とする、請求項１に記載の電気光学装置。
【請求項３】
データ線と、
前記データ線と交差する複数の走査線と、
前記データ線及び前記複数の走査線の交差に対応して設けられた複数の画素と、
前記走査線を選択する走査線駆動部と、
前記データ線にデータ信号を供給するデータ信号供給部と、
第１電極に電極信号を供給する電極信号供給部と、
を備え、
前記画素は、
前記第１電極、第２電極、並びに、前記第１電極及び前記第２電極の間に設けられた液
晶を含む液晶素子を備え、
前記データ信号供給部は、
第１単位期間のうち、第１期間と前記第１期間に後続する第２期間とにおいて、前記デ
ータ信号の電位を、第１プリチャージ電位に設定し、
前記第１単位期間のうち、前記第２期間に後続する第３期間において、前記データ信号
の電位を、当該第１単位期間に前記走査線駆動部が選択する走査線に対応して設けられる
画素の表示する階調を指定する第１データ電位に設定し、
前記第１単位期間に後続する第２単位期間のうち、第４期間と前記第４期間に後続する
第５期間とにおいて、前記データ信号の電位を、第２プリチャージ電位に設定し、
前記第２単位期間のうち、前記第５期間に後続する第６期間において、前記データ信号
の電位を、当該第２単位期間に前記走査線駆動部が選択する走査線に対応して設けられる
画素の表示する階調を指定する第２データ電位に設定し、
前記電極信号供給部は、
前記第１期間と前記第５期間とにおいて、前記電極信号の電位を、前記第１プリチャー
ジ電位及び前記第２プリチャージ電位よりも低電位の第１電位に設定し、
前記第２期間と前記第４期間において、前記電極信号の電位を、前記第１プリチャージ
電位及び前記第２プリチャージ電位よりも高電位の第２電位に設定する、
ことを特徴とする電気光学装置。
【請求項４】
前記電極信号供給部は、
前記第３期間において、前記電極信号の電位を、前記第２電位に設定し、
前記第６期間において、前記電極信号の電位を、前記第１電位に設定し、
前記第１データ電位は、
前記第２電位よりも低電位であり、
前記第２データ電位は、
前記第１電位よりも高電位である、
ことを特徴とする、請求項２に記載の電気光学装置。
【請求項５】
請求項１乃至４の何れかの電気光学装置を具備する電子機器。
【請求項６】
第１電極と、第２電極と、前記第１電極及び前記第２電極の間に設けられた液晶とを含
む液晶素子を具備する画素を備える電気光学装置の制御方法であって、
前記第１期間において、前記第１電極に供給する電極信号の電位を第１電位に設定し、
前記第２電極に供給するデータ信号の電位をプリチャージ電位に設定し、
前記第１期間に後続する第２期間とにおいて、前記電極信号の電位を前記プリチャージ
電位を基準として前記第１電位とは逆極性の電位である第２電位に設定し、前記データ信
号の電位を前記プリチャージ電位に設定し、
前記第２期間に後続する第３期間において、前記電極信号の電位を前記第２電位に設定
し、前記データ信号の電位を前記画素の表示する階調を指定するデータ電位に設定する、
ことを特徴とする電気光学装置の制御方法。
【請求項７】
第１電極と、第２電極と、前記第１電極及び前記第２電極の間に設けられた液晶とを含
む液晶素子を具備する画素を備える電気光学パネルの駆動回路であって、
前記第１電極に電極信号を供給する電極信号供給部と、
前記第２電極にデータ信号を供給するデータ信号供給部と、
を備え、
前記データ信号供給部は、
第１期間と前記第１期間に後続する第２期間とにおいて、前記データ信号の電位をプリ
チャージ電位に設定し、
前記第２期間に後続する第３期間において、前記データ信号の電位を前記画素の表示す
る階調を指定するデータ電位に設定し、
前記電極信号供給部は、
前記第１期間において、前記電極信号の電位を第１電位に設定し、
前記第２期間及び前記第３期間において、前記電極信号の電位を前記プリチャージ電位
を基準として前記第１電位とは逆極性の電位である第２電位に設定する、
ことを特徴とする電気光学パネルの駆動回路。
【発明の詳細な説明】
【技術分野】
【０００１】
本発明は、電気光学装置、電気光学装置の制御方法、電気光学パネルの駆動回路、及び
、電子機器に関する。
【背景技術】
【０００２】
液晶素子を用いて画像を表示させる電気光学装置が広く開発されている。この電気光学
装置では、各画素の表示階調を指定する画像信号を、データ線を介して各画素に供給する
ことで、各画素が具備する液晶の透過率を画像信号の指定階調に応じた透過率に制御し、
これにより、各画素に画像信号の指定する階調を表示させる。
【０００３】
ところで、各画素に画像信号を供給する時間を十分に確保できない場合等、画像信号の
供給が不十分な場合には、各画素が画像信号の指定する階調を正確に表示することができ
なくなり、表示品位が低下することがある。このような、画素に対する画像信号の書込不
足による表示品位の低下という問題に対応するために、各画素やデータ線に対して、画像
信号の電位に近い電位のプリチャージ信号を、画像信号を供給する前に供給することで、
各画素に対する画像信号の書込を容易にする技術が提案されている（例えば、特許文献１
）。
【先行技術文献】
【特許文献】
【０００４】
【特許文献１】特開２０１０−１０２２１７号公報
【発明の概要】
【発明が解決しようとする課題】
【０００５】
画像信号の供給に先立ってプリチャージ信号を供給する場合、画像信号の信号レベルの
高低に関わらず、所定の信号レベルのプリチャージ信号を供給することが一般的である。
このため、プリチャージ信号を供給する場合には、プリチャージ信号を供給しない場合と
比較して、データ線の電位の変動量が増加する。データ線の電位の変動量が増加すると、
当該電位変動が、データ線及び画素の間に寄生した容量を介して画素に伝播したときに、
当該画素が画像信号の指定する階調を正確に表示できなくなるという問題が生じる。また
、データ線の電位の変動量が増加すると、電気光学装置の消費電力量が増加するという問
題も生じる。
【０００６】
更に、液晶に直流成分が印加されることを防止することを目的として周期的に画像信号
の極性を反転させる極性反転駆動を行う場合には、プリチャージ信号の信号レベルを、画
像信号の信号レベル以上のレベルとすることがある。この場合には、上述した、データ線
の電位の変動量の増大や、電気光学装置の消費電力量の増大、という問題が顕在化する。
また、この場合には、プリチャージ電位を供給する駆動回路に高い駆動能力が求められ、
電気光学装置の製造コストの増大を招くことがある。
【０００７】
本発明は上述した問題の少なくとも一つに対応するためになされたものであり、その目
的の一つは、データ線の電位の変動を小さく抑えつつ、プリチャージを実行する技術を提
供することである。
【課題を解決するための手段】
【０００８】
以上の課題を解決するために、本発明に係る電気光学装置は、第１電極と、第２電極と
、前記第１電極及び前記第２電極の間に設けられた液晶とを含む液晶素子を具備する画素
と、前記第１電極に電極信号を供給する電極信号供給部と、前記第２電極にデータ信号を
供給するデータ信号供給部と、を備え、前記データ信号供給部は、第１期間と前記第１期
間に後続する第２期間とにおいて、前記データ信号の電位をプリチャージ電位に設定し、
前記第２期間に後続する第３期間において、前記データ信号の電位を前記画素の表示する
階調を指定するデータ電位に設定し、前記電極信号供給部は、前記第１期間において、前
記電極信号の電位を第１電位に設定し、前記第２期間及び前記第３期間において、前記電
極信号の電位を前記プリチャージ電位を基準として前記第１電位とは逆極性の電位である
第２電位に設定する、ことを特徴とする。
【０００９】
この発明によれば、プリチャージ電位を基準とした電極信号の電位が、第１期間と第２
期間との間で逆極性となるように変化するため、第１期間と第２期間との間で電極信号の
電位が変化しない場合と比較して、データ信号の電位の変化量に対する、液晶素子に印加
される電圧の変化量を大きくすることができる。これにより、データ信号の電位の変化量
を大きくすることなく、液晶素子に印加される電圧の変化量を効率的に大きくすることが
できるため、データ信号供給部の駆動能力を低く抑えることが可能となり、また、電気光
学装置の低消費電力化が可能となる。
【００１０】
また、上述した電気光学装置において、前記データ信号供給部は、前記データ電位を、
前記第２電位を基準として前記プリチャージ電位と同極性となるように設定する、ことが
好ましい。
【００１１】
この態様によれば、第２期間におけるプリチャージ電位と、第３期間におけるデータ電
位とを、第２電位を基準として同極性とするため、同極性でない場合と比較して、第３期
間における第２電極に対するデータ信号の書込が容易になる。
【００１２】
また、本発明に係る電気光学装置は、データ線と、前記データ線と交差する複数の走査
線と、前記データ線及び前記複数の走査線の交差に対応して設けられた複数の画素と、前
記走査線を選択する走査線駆動部と、前記データ線にデータ信号を供給するデータ信号供
給部と、第１電極に電極信号を供給する電極信号供給部と、を備え、前記画素は、前記第
１電極、第２電極、並びに、前記第１電極及び前記第２電極の間に設けられた液晶を含む
液晶素子を備え、前記データ信号供給部は、第１単位期間のうち、第１期間と前記第１期
間に後続する第２期間とにおいて、前記データ信号の電位を、第１プリチャージ電位に設
定し、前記第１単位期間のうち、前記第２期間に後続する第３期間において、前記データ
信号の電位を、当該第１単位期間に前記走査線駆動部が選択する走査線に対応して設けら
れる画素の表示する階調を指定する第１データ電位に設定し、前記第１単位期間に後続す
る第２単位期間のうち、第４期間と前記第４期間に後続する第５期間とにおいて、前記デ
ータ信号の電位を、第２プリチャージ電位に設定し、前記第２単位期間のうち、前記第５
期間に後続する第６期間において、前記データ信号の電位を、当該第２単位期間に前記走
査線駆動部が選択する走査線に対応して設けられる画素の表示する階調を指定する第２デ
ータ電位に設定し、前記電極信号供給部は、前記第１期間と前記第５期間とにおいて、前
記電極信号の電位を、前記第１プリチャージ電位及び前記第２プリチャージ電位よりも低
電位の第１電位に設定し、前記第２期間と前記第４期間において、前記電極信号の電位を
、前記第１プリチャージ電位及び前記第２プリチャージ電位よりも高電位の第２電位に設
定する、ことを特徴とする。
【００１３】
この発明によれば、プリチャージを実行している期間において、電極信号の極性がプリ
チャージ電位を基準として反転する。このため、プリチャージを実行している期間中に電
極信号の極性が変化しない場合と比較して、データ信号の電位の変化量に対する、液晶素
子に印加される電圧の変化量を大きくすることができる。これにより、データ信号の電位
を大きく変化させることなく、液晶素子に印加される電圧を大きく変化することができ、
データ信号供給部の駆動能力を低く抑えることが可能となり、また、電気光学装置の低消
費電力化が可能となる。
【００１４】
また、上述した電気光学装置において、前記電極信号供給部は、前記第３期間において
、前記電極信号の電位を、前記第２電位に設定し、前記第６期間において、前記電極信号
の電位を、前記第１電位に設定し、前記第１データ電位は、前記第２電位よりも低電位で
あり、前記第２データ電位は、前記第１電位よりも高電位である、であることが好ましい
。
【００１５】
この態様によれば、プリチャージ終了時のプリチャージ電位と、プリチャージ後に設定
されるデータ電位とが、第１電極に印加される電極信号の電位を基準として同極性となる
ため、同極性でない場合と比較して、データ信号の書込が容易になる。
【００１６】
また、本発明に係る電子機器は、上記のうち何れかの電気光学装置を備えることを特徴
とする。このような電子機器として、カーナビゲーション装置、パーソナルコンピュータ
、テレビ、投射型表示装置、及び、携帯電話等が該当する。
【００１７】
また、本発明に係る電気光学装置の制御方法は、第１電極と、第２電極と、前記第１電
極及び前記第２電極の間に設けられた液晶とを含む液晶素子を具備する画素を備える電気
光学装置の制御方法であって、前記第１期間において、前記第１電極に供給する電極信号
の電位を第１電位に設定し、前記第２電極に供給するデータ信号の電位をプリチャージ電
位に設定し、前記第１期間に後続する第２期間とにおいて、前記電極信号の電位を前記プ
リチャージ電位を基準として前記第１電位とは逆極性の電位である第２電位に設定し、前
記データ信号の電位を前記プリチャージ電位に設定し、前記第２期間に後続する第３期間
において、前記電極信号の電位を前記第２電位に設定し、前記データ信号の電位を前記画
素の表示する階調を指定するデータ電位に設定する、ことを特徴とする。
【００１８】
この発明によれば、プリチャージ電位を基準とした電極信号の電位が、第１期間と第２
期間との間で逆極性となるように変化するため、データ信号の電位の変化量に対する、液
晶素子に印加される電圧の変化量を大きくすることができる。これにより、電気光学装置
の低消費電力化が可能となる。
【００１９】
また、本発明に係る電気光学パネルの駆動回路は、第１電極と、第２電極と、前記第１
電極及び前記第２電極の間に設けられた液晶とを含む液晶素子を具備する画素を備える電
気光学パネルの駆動回路であって、前記第１電極に電極信号を供給する電極信号供給部と
、前記第２電極にデータ信号を供給するデータ信号供給部と、を備え、前記データ信号供
給部は、第１期間と前記第１期間に後続する第２期間とにおいて、前記データ信号の電位
をプリチャージ電位に設定し、前記第２期間に後続する第３期間において、前記データ信
号の電位を前記画素の表示する階調を指定するデータ電位に設定し、前記電極信号供給部
は、前記第１期間において、前記電極信号の電位を第１電位に設定し、前記第２期間及び
前記第３期間において、前記電極信号の電位を前記プリチャージ電位を基準として前記第
１電位とは逆極性の電位である第２電位に設定する、ことを特徴とする。
【００２０】
この発明によれば、プリチャージ電位を基準とした電極信号の電位が、第１期間と第２
期間との間で逆極性となるように変化するため、データ信号の電位の変化量に対する、液
晶素子に印加される電圧の変化量を大きくすることができる。これにより、電気光学パネ
ルの低消費電力化が可能となる。
【図面の簡単な説明】
【００２１】
【図１】本発明の第１実施形態に係る電気光学装置のブロック図である。
【図２】画素回路の回路図である。
【図３】電気光学装置の動作を説明するためのタイミングチャートである。
【図４】入力画像データの示す画像を説明するための説明図である。
【図５】画素回路に供給されるデータ信号及び共通電極信号を説明するためのタイミングチャートである。
【図６】対比例１に係る電気光学装置の動作を説明するためのタイミングチャートである。
【図７】対比例２に係る電気光学装置の動作を説明するためのタイミングチャートである。
【図８】リーク電流を説明するための説明図である。
【図９】リーク電流を説明するための説明図である。
【図１０】対比例２に係るリーク電流の大きさを説明するための説明図である。
【図１１】対比例２に係るリーク電流の大きさを説明するための説明図である。
【図１２】縦クロストークを説明するための説明図である。
【図１３】リーク電流の大きさを説明するための説明図である。
【図１４】リーク電流の大きさを説明するための説明図である。
【図１５】第２実施形態に係る電気光学装置の動作を説明するためのタイミングチャートである。
【図１６】リーク電流の大きさを説明するための説明図である。
【図１７】電子機器（投射型表示装置）の斜視図である。
【図１８】電子機器（パーソナルコンピュータ）の斜視図である。
【図１９】電子機器（携帯電話機）の斜視図である。
【発明を実施するための形態】
【００２２】
以下、本発明を実施するための形態について図面を参照して説明する。ただし、各図に
おいて、各部の寸法及び縮尺は、実際のものと適宜に異ならせてある。また、以下に述べ
る実施の形態は、本発明の好適な具体例であるから、技術的に好ましい種々の限定が付さ
れているが、本発明の範囲は、以下の説明において特に本発明を限定する旨の記載がない
限り、これらの形態に限られるものではない。
【００２３】
＜Ａ．第１実施形態＞
図１は、本発明の第１実施形態に係る電気光学装置１のブロック図である。
電気光学装置１は、電気光学パネル１０と表示制御回路５０とを具備する。
電気光学パネル１０は、複数の画素回路ＰXが配列された表示部３０と、各画素回路ＰX
を駆動する駆動回路２０と、を含む。
表示部３０には、ｘ方向に延在する第１行〜第Ｍ行のＭ本の走査線３２と、ｘ方向に交
差するｙ方向に延在する第１列〜第Ｎ列のＮ本のデータ線３４とが形成される（Ｍ及びＮ
は自然数）。複数の画素回路ＰXは、表示部３０において、走査線３２とデータ線３４と
の各交差に対応して縦Ｍ行×横Ｎ列の行列状に配列される。なお、本実施形態において、
画素回路ＰXは、Ｍ本の走査線３２及びＮ本のデータ線３４によるＭ×Ｎ個の交差の全て
に配置されるが、これらＭ×Ｎ個の交差のうち一部に配置されるものであっても構わない
。
【００２４】
駆動回路２０は、走査線駆動回路２２（「走査線駆動部」の一例）と、データ線駆動回
路２４（「データ信号供給部」の一例）と、電源供給回路２６（「電極信号供給部」の一
例）と、を備える。
走査線駆動回路２２は、各走査線３２に走査信号Ｇ［ｍ］（ｍは、１≦ｍ≦Ｍを満たす
自然数）を供給することで、第１行〜第Ｍ行の走査線３２を１水平走査期間Ｈ毎に１本ず
つ順番に選択する。より具体的には、走査線駆動回路２２は、走査信号Ｇ［ｍ］を所定の
選択電位に設定することで、第ｍ行の走査線３２を選択する。
データ線駆動回路２４は、走査線駆動回路２２による走査線３２の選択に同期して、Ｎ
本のデータ線３４の各々にデータ信号Ｖd［ｎ］（ｎは、１≦ｎ≦Ｎを満たす自然数）を
供給する。データ信号Ｖd［ｎ］は、後述する入力画像データＤinが各画素回路ＰXに対応
する画素に対して指定する表示階調に応じて可変に設定される。
電源供給回路２６は、各画素回路ＰXに共通電極信号Ｖcom（「電極信号」の一例）を供
給する。
【００２５】
図２は、各画素回路ＰXの回路図である。
図２に示すように、各画素回路ＰXは、液晶素子ＣLと書込トランジスターＴr（「選択
スイッチ」の一例）とを含む。
液晶素子ＣLは、共通電極４１（「第１電極」の一例）と、画素電極４２（「第２電極
」の一例）と、共通電極４１及び画素電極４２の間に設けられた液晶４３とを含む。この
液晶素子ＣLの液晶４３は、液晶素子ＣLに印加される電圧、より正確には、共通電極４１
と画素電極４２との間に印加される電圧に応じて、その透過率を変化させる。なお、液晶
素子ＣLに並列に補助容量を接続した構成も採用され得る。
本実施形態において、書込トランジスターＴrは、走査線３２にゲートが接続されたＮ
チャネル型のトランジスターであり、液晶素子ＣLとデータ線３４との間に設けられ、両
者の電気的な接続（導通／非導通）を制御する。走査信号Ｇ［ｍ］が選択電位に設定され
ると、第ｍ行の各画素回路ＰXにおける書込トランジスターＴrが同時にオン状態に遷移す
る。
なお、以下では、説明の便宜上、書込トランジスターＴrと画素電極４２とを電気的に
接続する接続配線をノードＱと称し、データ線３４と書込トランジスターＴrとを電気的
に接続する接続配線をノードＲと称する。また、以下では、ノードＱの電位を電位Ｖqと
称する。
【００２６】
画素回路ＰXに対応する走査線３２が選択され、当該画素回路ＰXの書込トランジスター
Ｔrがオン状態に制御されたタイミングにおいて、当該画素回路ＰXには、データ線３４か
らデータ信号Ｖd［ｎ］が供給される。そして、当該画素回路ＰXのノードＱ（及び画素電
極４２）は、データ信号Ｖd［ｎ］の示す電位に設定される。これにより、液晶素子ＣLに
は、データ信号Ｖd［ｎ］に応じた電圧（電位差ＶCL）が印加され、当該画素回路ＰXの液
晶４３はデータ信号Ｖd［ｎ］に応じた透過率に設定されるため、当該画素回路ＰXに対応
する画素はデータ信号Ｖd［ｎ］に応じた階調を表示する。
なお、以下では、液晶素子ＣLに印加される電圧を、電位Ｖqから共通電極信号Ｖcomの
電位を減算した電位差ＶCLとして表現することがある。
【００２７】
画素回路ＰXの液晶素子ＣLにデータ信号Ｖd［ｎ］に応じた電圧が印加された後、書込
トランジスターＴrがオフ状態となると、理想的には、液晶素子ＣLの有する液晶容量によ
り当該液晶素子ＣLに印加された電圧が保持される。従って、各画素は、理想的には、書
込トランジスターＴrがオン状態となった後から、次にオン状態となるまでの期間におい
て、データ信号Ｖd［ｎ］により指定された階調を表示する。
しかし、実際には、オフ状態の書込トランジスターＴrにおいてリーク電流Ｉdsが発生
することがある。この場合、電位Ｖqが変動する。
また、データ線３４とノードＱとの間、または、データ線３４と画素電極４２との間に
は、容量が寄生することがある。この場合、データ線３４の電位変動が、当該寄生容量を
介して、ノードＱや画素電極４２等に伝播して、電位Ｖqが変動することがある。
このような電位Ｖqの変動が生じると、電位差ＶCLも変動するため、画素は、データ信
号Ｖd［ｎ］に応じた階調を正確に表示できなくなる。
【００２８】
説明を図１に戻す。
図１に示すように、表示制御回路５０には、図示省略したホストコンピュータ等の上位
装置から、入力画像データＤinが、同期信号に同期して供給される。ここで、入力画像デ
ータＤinとは、各画素回路ＰXに対応する画素で表示すべき階調を規定するデータである
。例えば、入力画像データＤinは、各画素で表示すべき階調を８ビットで規定するデジタ
ルデータであってもよい。また、同期信号とは、例えば、後述する垂直同期信号Ｖsnc及
び水平同期信号Ｈsncや、ドットクロック信号等を含む信号である。
【００２９】
表示制御回路５０は、上位装置から供給される同期信号に基づいて、電気光学パネル１
０の動作を制御するための信号である制御信号Ｃtrを生成し、制御信号Ｃtrを駆動回路２
０に供給する。ここで、制御信号Ｃtrとは、例えば、垂直同期信号Ｖsnc、水平同期信号
Ｈsnc、極性信号Ｐol、クロック信号、イネーブル信号等を含む信号である。
また、表示制御回路５０は、入力画像データＤinに基づいて、画像データ信号Ｄxを生
成し、これをデータ線駆動回路２４に対して供給する。本実施形態では、画像データ信号
Ｄxは、デジタルの信号であるが、アナログの信号であってもよい。
【００３０】
図３は、電気光学装置１の動作を示すタイミングチャートである。この図に示すように
、電気光学装置１の動作期間は、垂直同期信号Ｖsncにより複数の表示期間Ｆに区分され
る。また、各表示期間Ｆは、水平同期信号Ｈsncにより少なくともＭ個の水平走査期間Ｈ
に区分される。
【００３１】
極性信号Ｐolは、表示期間Ｆ毎に極性が反転し、且つ、水平走査期間Ｈ毎に極性が反転
する信号である。より具体的には、表示制御回路５０は、極性信号Ｐolの電位を、一の表
示期間Ｆのうち、奇数番目の水平走査期間Ｈにおいて、ローレベルに設定し、偶数番目の
水平走査期間Ｈにおいて、ハイレベルに設定する一方で、一の表示期間Ｆに後続する他の
表示期間Ｆのうち、奇数番目の水平走査期間Ｈにおいて、ハイレベルに設定し、偶数番目
の水平走査期間Ｈにおいて、ローレベルに設定する。
以下では、極性信号Ｐolがローレベルに設定される水平走査期間Ｈを負極性期間Ｕ1（
「第１単位期間」の一例）と称し、極性信号Ｐolがハイレベルに設定される水平走査期間
Ｈを正極性期間Ｕ2（「第２単位期間」の一例）と称する。
【００３２】
走査線駆動回路２２は、走査信号Ｇ［１］〜Ｇ［Ｍ］を、１水平走査期間Ｈ毎に順番に
所定の選択電位に設定する。具体的には、走査線駆動回路２２は、各表示期間Ｆのうちｍ
番目の水平走査期間Ｈにおいて、走査信号Ｇ［ｍ］を所定の選択電位に設定し、それ以外
の走査信号Ｇ［１］〜Ｇ［ｍ−１］、Ｇ［ｍ＋１］〜Ｇ［Ｍ］を所定の選択電位よりも低
電位の非選択電位に設定する。
【００３３】
図３に示すように、駆動回路２０は、制御信号Ｃtrに基づいて、負極性期間Ｕ1を、期
間Ｔ1（「第１期間」の一例）と、期間Ｔ1に後続する期間Ｔ2（「第２期間」の一例）と
、期間Ｔ2に後続する期間Ｔ3（「第３期間」の一例）とに区分し、正極性期間Ｕ2を、期
間Ｔ4（「第４期間」の一例）と、期間Ｔ4に後続する期間Ｔ5（「第５期間」の一例）と
、期間Ｔ5に後続する期間Ｔ6（「第６期間」の一例）とに区分する。
【００３４】
また、図３に示すように、電源供給回路２６は、期間Ｔ1、期間Ｔ5、及び、期間Ｔ6に
おいて、共通電極信号Ｖcomの電位を、予め定められた所定の基準電位ＶcomＭよりも低い
電位である電位ＶcomＬ（「第１電位」の一例）に設定し、期間Ｔ2、期間Ｔ3、及び、期
間Ｔ4において、共通電極信号Ｖcomの電位を、基準電位ＶcomＭよりも高い電位である電
位ＶcomＨ（「第２電位」の一例）に設定する。
【００３５】
図３に示すように、データ線駆動回路２４は、期間Ｔ1及び期間Ｔ2において、データ信
号Ｖd［ｎ］の電位を、電位ＶcomＬよりも高く、且つ、電位ＶcomＨよりも低い電位であ
るプリチャージ電位Ｖpr1（「第１プリチャージ電位」の一例）に設定し、期間Ｔ4及び期
間Ｔ5において、データ信号Ｖd［ｎ］の電位を、電位ＶcomＬよりも高く、且つ、電位Ｖc
omＨよりも低い電位であるプリチャージ電位Ｖpr2（「第２プリチャージ電位」の一例）
に設定する。
なお、本実施形態では、一例として、プリチャージ電位Ｖpr1及びプリチャージ電位Ｖp
r2を、予め定められた所定の基準電位ＶdＭと等しい電位とする。
但し、プリチャージ電位Ｖpr1及びプリチャージ電位Ｖpr2は、互いに異なる電位であっ
てもよいし、基準電位ＶdＭと異なる電位であってもよい。
【００３６】
図３に示すように、データ線駆動回路２４は、ｍ番目の水平走査期間Ｈに含まれる期間
Ｔ3において、データ信号Ｖd［ｎ］の電位を、入力画像データＤinが第ｍ行第ｎ列の画素
に対して指定する表示階調に基づいて定められる電位であって、電位ＶcomＨ以下の電位
であるデータ電位Ｖdt1［ｎ］（「第１データ電位」の一例）に設定する。また、データ
線駆動回路２４は、（ｍ＋１）番目の水平走査期間Ｈに含まれる期間Ｔ6において、デー
タ信号Ｖd［ｎ］の電位を、入力画像データＤinが第（ｍ＋１）行第ｎ列の画素に対して
指定する表示階調に基づいて定められる電位であって、電位ＶcomＬ以上の電位であるデ
ータ電位Ｖdt2［ｎ］（「第２データ電位」の一例）に設定する。
すなわち、データ線駆動回路２４は、負極性期間Ｕ1においては、共通電極４１の電位
Ｖqが画素電極４２の電位（共通電極信号Ｖcomの示す電位）以下となり、電位差ＶCLが０
Ｖ以下となる負極性のデータ電位Ｖdt1［ｎ］を、画素回路ＰXに供給し、正極性期間Ｕ2
においては、共通電極４１の電位Ｖqが画素電極４２の電位（共通電極信号Ｖcomの示す電
位）以上となり、電位差ＶCLが０Ｖ以上となる正極性のデータ電位Ｖdt2［ｎ］を、画素
回路ＰXに供給する。
【００３７】
なお、本実施形態では、データ電位Ｖdt1［ｎ］及びＶdt2［ｎ］のダイナミックレンジ
が一致する場合を想定する。具体的には、データ電位Ｖdt1［ｎ］及びＶdt2［ｎ］のとり
うる最高電位を電位ＶdＨと称し、最低電位を電位ＶdＬと称する。
また、本実施形態では、プリチャージ電位Ｖpr1及びＶpr2は、電位ＶdＨ以上であり、
且つ、電位ＶdＬ以下であることとする。
【００３８】
また、以下では、駆動回路２０による各画素回路ＰXの駆動（つまり、データ線駆動回
路２４による各画素回路ＰXへのデータ信号Ｖd［ｎ］の供給、及び、電源供給回路２６に
よる各画素回路ＰXへの共通電極信号Ｖcomの供給）のうち、負極性期間Ｕ1における駆動
を「負極性駆動」と称し、正極性期間Ｕ2における駆動を「正極性駆動」と称する。
【００３９】
なお、上述した各種電位のうち、データ電位Ｖdt1［ｎ］及びデータ電位Ｖdt2［ｎ］は
、入力画像データＤinに応じて水平走査期間Ｈ毎に可変に設定されるが、プリチャージ電
位Ｖpr1、プリチャージ電位Ｖpr2、電位ＶcomＬ、電位ＶcomＨは、各表示期間Ｆまたは各
水平走査期間Ｈ毎に値が変化しない定数である。
【００４０】
次に、図４及び図５を参照しつつ、表示部３０に画像を表示する場合の画素回路ＰXの
動作を、具体的な数値例を挙げて説明する。
なお、当該数値例では、電気光学装置１が、液晶素子ＣLに電圧が印加されていない状
態において画素が「白色」を表示するノーマリーホワイトモードである場合を想定する。
また、当該数値例では、液晶素子ＣLに印加される電圧（電位差ＶCL）が０Ｖのときに、
当該液晶素子ＣLを含む画素が「白色」を表示し、液晶素子ＣLに印加される電圧（電位差
ＶCLの絶対値）が８Ｖのときに、当該液晶素子ＣLを含む画素が「黒色」を表示すると仮
定する。
また、当該数値例では、電気光学装置１において、基準電位ＶcomＭと基準電位ＶdＭが
共に「０Ｖ」であり、電位ＶcomＨと電位ＶdＨが共に「＋４Ｖ」であり、電位ＶcomＬと
電位ＶdＬが共に「−４Ｖ」である場合を想定する（図５参照）。
【００４１】
図４は、以下で説明する数値例において、入力画像データＤinの示す画像、つまり、入
力画像データＤinが各画素に指定する階調を説明するための説明図である。この図に示す
ように、当該数値例では、入力画像データＤinの示す画像が、「白色」と「黒色」の中間
色である「灰色」を背景として、中央に「黒色」のウインドウが表された画像である場合
を想定する。以下では、この図に示す画像を、「例示画像」を称する。
なお、当該数値例では、液晶素子ＣLに印加される電圧（電位差ＶCLの絶対値）が３Ｖ
のときに、当該液晶素子ＣLを含む画素が「灰色」を表示すると仮定する。
また、図４に示すように、「灰色」の背景を表す画素には、第ｍa行第ｎ列の画素ａ（
但し、ｍaは、１≦ｍa＜Ｍを満たす自然数）、及び、第ｍb行第ｎ列の画素ｂ（但し、ｍb
＝ｍa＋１）が含まれることとし、「黒色」のウインドウを表す画素には、第ｍc行第ｎ列
の画素ｃ（但し、ｍcは、ｍb＜ｍc＜Ｍを満たす自然数）、及び、第ｍd行第ｎ列の画素ｄ
（但し、ｍd＝ｍc＋１）が含まれることとする。
【００４２】
図５は、電気光学装置１が図４に示す例示画像を表示する場合に、画素ａ〜ｄのぞれぞ
れに供給されるデータ信号Ｖd［ｎ］及び共通電極信号Ｖcomと、画素ａ〜ｄのそれぞれの
液晶素子ＣLに印加される電圧（電位差ＶCL）との関係を説明するための説明図である。
【００４３】
このうち、図５（Ａ）は、第ｍa行の走査線３２が選択される負極性期間Ｕ1において、
駆動回路２０が画素ａを負極性駆動して、画素ａにデータ信号Ｖd［ｎ］が供給される様
子と、第ｍb行の走査線３２が選択される正極性期間Ｕ2において、駆動回路２０が画素ｂ
を正極性駆動して、画素ｂにデータ信号Ｖd［ｎ］が供給される様子と、を示す説明図で
ある。
【００４４】
図５（Ａ）に示すように、第ｍa行の走査線３２が選択される負極性期間Ｕ1において、
画素ａにおける電位差ＶCLは、期間Ｔ1では「＋４Ｖ」に設定され、期間Ｔ2では「−４Ｖ
」に設定され、期間Ｔ3では「−３Ｖ」に設定される。この結果、画素ａにおける電位差
ＶCLは「−３Ｖ」に設定され、次の表示期間Ｆにおいて第ｍa行の走査線３２が選択され
るまでの間、画素ａは「灰色」を表示する。
また、第ｍb行の走査線３２が選択される正極性期間Ｕ2において、画素ｂにおける電位
差ＶCLは、期間Ｔ4では「−４Ｖ」に設定され、期間Ｔ5では「＋４Ｖ」に設定され、期間
Ｔ6では「＋３Ｖ」に設定される。この結果、画素ｂにおける電位差ＶCLは「＋３Ｖ」に
設定され、次の表示期間Ｆにおいて第ｍb行の走査線３２が選択されるまでの間、画素ｂ
は「灰色」を表示する。
【００４５】
図５（Ｂ）は、第ｍc行の走査線３２が選択される負極性期間Ｕ1において、駆動回路２
０が画素ｃを負極性駆動して、画素ｃにデータ信号Ｖd［ｎ］が供給される様子と、第ｍd
行の走査線３２が選択される正極性期間Ｕ2において、駆動回路２０が画素ｄを正極性駆
動して、画素ｄにデータ信号Ｖd［ｎ］が供給される様子と、を示す説明図である。
【００４６】
図５（Ｂ）に示すように、第ｍc行の走査線３２が選択される負極性期間Ｕ1において、
画素ｃにおける電位差ＶCLは、期間Ｔ1では「＋４Ｖ」に設定され、期間Ｔ2では「−４Ｖ
」に設定され、期間Ｔ3では「−８Ｖ」に設定される。この結果、画素ｃにおける電位差
ＶCLは「−８Ｖ」に設定され、次の表示期間Ｆにおいて第ｍc行の走査線３２が選択され
るまでの間、画素ｃは「黒色」を表示する。
また、第ｍd行の走査線３２が選択される正極性期間Ｕ2において、画素ｄにおける電位
差ＶCLは、期間Ｔ4では「−４Ｖ」に設定され、期間Ｔ5では「＋４Ｖ」に設定され、期間
Ｔ6では「＋８Ｖ」に設定される。この結果、画素ｄにおける電位差ＶCLは「＋８Ｖ」に
設定され、次の表示期間Ｆにおいて第ｍd行の走査線３２が選択されるまでの間、画素ｄ
は「黒色」を表示する。
【００４７】
次に、本実施形態の効果を説明するために、図６に示すような、共通電極信号Ｖcomの
電位を基準電位ＶcomＭに固定する態様（以下、図６に示す態様を「対比例１」と称する
）を説明する。
図６に示す対比例１に係る電気光学装置においては、共通電極信号Ｖcomが基準電位Ｖc
omＭ（上述した数値例においては「０Ｖ」）に固定されているため、例えば、上述した数
値例において図４に示す画像の「黒色」を表示するためには、データ電位Ｖdt1［ｎ］を
「−８Ｖ」とし、データ電位Ｖdt2［ｎ］を「＋８Ｖ」とする必要がある。すなわち、対
比例１では、上述した数値例において、電位差ＶCLを「−８Ｖ」〜「＋８Ｖ」の１６Ｖの
幅で変化させるためには、データ信号Ｖd［ｎ］の電位を「−８Ｖ」〜「＋８Ｖ」の１６
Ｖの幅で変化させる必要がある。
【００４８】
これに対して、本実施形態に係る電気光学装置１は、例えば上述した数値例において、
データ信号Ｖd［ｎ］の電位を「−４Ｖ」〜「＋４Ｖ」の８Ｖの幅で変化させることで、
電位差ＶCLを「−８Ｖ」〜「＋８Ｖ」の１６Ｖの幅で変化させることができる。すなわち
、本実施形態に係る電気光学装置１は、対比例１と比較して、電位差ＶCLの変化幅に対す
るデータ信号Ｖd［ｎ］の電位の変化幅を小さく抑えることができる。このため、本実施
形態に係る電気光学装置１は、対比例１と比較して、データ線駆動回路２４の駆動能力を
低く抑えることができるとともに、データ線３４の電位変動がノードＱ等に伝播すること
に起因する表示画質の劣化を抑制することができる。
【００４９】
また、対比例１では、共通電極信号Ｖcomの電位を固定したままプリチャージを実行す
るため、例えば上述した数値例において、期間Ｔ1の開始時点、または、期間Ｔ4の開始時
点で、最大で１２Ｖの電位変動が生じる。
これに対して、本実施形態では、各水平走査期間Ｈ内における電位差ＶCLの極性反転を
、データ信号Ｖd［ｎ］の電位（プリチャージ電位）を変化させる代わりに、共通電極信
号Ｖcomの電位を変化させることで実現しているため、例えば上述した数値例において、
期間Ｔ1の開始時点、または、期間Ｔ4の開始時点での電位の変動幅を、最大で４Ｖに抑え
ることができる。
すなわち、本実施形態では、対比例１と比較して、プリチャージを実行するために生じ
るデータ信号Ｖd［ｎ］の電位の変化幅を小さく抑えることができる。そして、プリチャ
ージ電位の変化幅の変化幅を小さく抑えることで、当該データ線３４の電位変動がノード
Ｑ等に伝播することに起因する表示画質の劣化を抑制することができる。また、プリチャ
ージ電位の変化幅の変化幅を小さく抑えることができるため、データ線駆動回路２４の駆
動能力を低い場合であっても十分なプリチャージを実行することができ、画素に対するデ
ータ電位の十分な書込が可能となる。
【００５０】
また、本実施形態では、各水平走査期間Ｈ（負極性期間Ｕ1、正極性期間Ｕ2）において
、各液晶素子ＣLに対して、正極性の電圧（電位差ＶCLが正となる電圧）と、負極性の電
圧（電位差ＶCLが負となる電圧）との双方を印加する。このため、本実施形態では、対比
例１と比較して、液晶素子ＣLの液晶４３に印加される直流成分を低減し、焼き付きが発
生する確率を低く抑えることができる。
【００５１】
また、本実施形態では、表示期間Ｆ毎に極性信号Ｐolの極性を反転させるため、液晶素
子ＣLの液晶４３に印加される直流成分を低減し、焼き付きの発生の確率を低く抑えるこ
とができる。
【００５２】
なお、データ線３４の電位変動幅の狭小化、及び、画素に対するデータ電位（Ｖdt1［
ｎ］、Ｖdt2［ｎ］）の書込の容易化は、図７に示すような、負極性期間Ｕ1の全部（期間
Ｔ1〜Ｔ3）において共通電極信号Ｖcomを電位ＶcomＨに設定し、正極性期間Ｕ2の全部（
期間Ｔ4〜Ｔ6）において共通電極信号Ｖcomを電位ＶcomＬに設定する態様（以下、図７に
示す態様を「対比例２」と称する）でも実現可能である。
しかし、対比例２の場合、本実施形態と比較して、書込トランジスターＴrのオフ状態
において発生するリーク電流Ｉdsの影響が大きく、リーク電流Ｉdsに起因する画質の劣化
、例えば、縦クロストークの発生確率が高くなる。
【００５３】
以下、縦クロストークの抑制という本実施形態の効果を説明する前提として、対比例２
を例に挙げて、リーク電流Ｉdsに起因した縦クロストークの発生について説明する。
なお、対比例２に係る電気光学装置は、期間Ｔ1において共通電極信号Ｖcomを電位Ｖco
mＨに設定し、期間Ｔ4において共通電極信号Ｖcomを電位ＶcomＬに設定することを除いて
、本実施形態に係る電気光学装置１と同様に構成されているものとする。
【００５４】
図８は、Ｎチャネル型のトランジスターの動作特性と、リーク電流Ｉdsとの関係を説明
するための説明図である。
例えば、Ｎチャネル型のトランジスターでは、図８（Ａ）に示すように、ソースに対す
るゲートの電位が高くなり、ソース及びゲート間の電位差Ｖgsが当該トランジスターの閾
値電圧Ｖth以上となることでオン動作領域に至った場合において、トランジスターがオン
し、ドレインからソースに向かって電流が流れる。逆に、電位差Ｖgsが閾値電圧Ｖthより
も小さいオフ動作領域においては、トランジスターがオフ状態となり、原則としてドレイ
ン・ソース間は非導通となる。
しかし、厳密には、図８（Ｂ）に示すように、電位差Ｖgsが閾値電圧Ｖthよりも小さい
オフ動作領域においても、ドレインからソースに向かってリーク電流Ｉdsが流れることが
ある。このリーク電流Ｉdsは、電位差Ｖgsが負の場合でも、電位差Ｖgsの絶対値｜Ｖgs｜
が大きくなるに従って大きくなる。
【００５５】
図９は、リーク電流Ｉdsの向きを説明するための説明図である。図９（Ａ）に示すよう
に、データ信号Ｖd［ｎ］の電位が電位Ｖqよりも低い場合には、ノードＲが書込トランジ
スターＴrのソースＳ（ソース電極）に該当し、ノードＱが書込トランジスターＴrのドレ
インＤ（ドレイン電極）に該当する。このため、図９（Ａ）に示す場合には、走査信号Ｇ
［ｍ］の電位からデータ信号Ｖd［ｎ］の電位を減算した値が電位差Ｖgsとなり、当該電
位差Ｖgsに応じた大きさのリーク電流Ｉdsが、ノードＱからノードＲに向かって流れるこ
とになる。
逆に、図９（Ｂ）に示すように、データ信号Ｖd［ｎ］の電位が電位Ｖqよりも高い場合
には、ノードＱが書込トランジスターＴrのソースＳ（ソース電極）に該当し、ノードＲ
が書込トランジスターＴrのドレインＤ（ドレイン電極）に該当する。このため、図９（
Ｂ）に示す場合には、走査信号Ｇ［ｍ］の電位から電位Ｖqを減算した値が電位差Ｖgsと
なり、当該電位差Ｖgsに応じた大きさのリーク電流Ｉdsが、ノードＲからノードＱに向か
って流れることになる。
【００５６】
図１０及び図１１は、対比例２に係る電気光学装置が、上述した数値例と同様の前提の
下で図４に示す画像を表示する場合に、「灰色」を表示している画素ａ及び画素ｂにおい
て生じるリーク電流Ｉdsと、当該リーク電流Ｉdsによる画素ａ及び画素ｂの表示色の変化
と、の関係を説明するための説明図である。
なお、以下の数値例では、上述した数値例における前提条件に加えて、走査信号Ｇ［ｍ
］の非選択電位が「−１０Ｖ」であると仮定する。
【００５７】
図１０（Ａ）は、第ｍc行の走査線３２が選択される負極性期間Ｕ1において、対比例２
に係る駆動回路が画素ｃを負極性駆動することで画素ｃに対して「黒色」を表示させるた
めのデータ信号Ｖd［ｎ］を供給するときの、画素ａにおけるリーク電流Ｉdsと電位差Ｖg
sとを示している。
上述したとおり、対比例２では、共通電極信号Ｖcomの電位は、負極性期間Ｕ1において
電位ＶcomＨに保たれる。また、上述した数値例では、「灰色」を表示する画素ａの電位
差ＶCLは「−３Ｖ」であり、電位ＶcomＨの電位は「＋４Ｖ」である。このため、画素ａ
における電位Ｖqは「＋１Ｖ」となる。
一方、対比例２においても、プリチャージ電位Ｖpr1は電位Ｖqよりも低電位の「０Ｖ」
であり、データ電位Ｖdt1［ｎ］は電位Ｖqよりも低電位の「−４Ｖ」である。
よって、画素ａでは、第ｍc行の走査線３２が選択される負極性期間Ｕ1において、ノー
ドＱに比べて低電位のノードＲが書込トランジスターＴrのソースＳとなり、ノードＱか
らノードＲに向けてリーク電流Ｉdsが流れる。これにより、電位Ｖqの電位が降下し、電
位差ＶCLは大きくなるため、画素ａは、本来表示すべき「灰色」よりも黒い色を表示する
。
画素ａの表示する色が黒くなる程度（変色の程度）は、リーク電流Ｉdsの大きさ、すな
わち、電位差Ｖgsの絶対値｜Ｖgs｜の大きさに基づいて定められる。
【００５８】
以下では、電位差Ｖgsの絶対値｜Ｖgs｜が、「０≦｜Ｖgs｜≦４」を満たす場合には、
画素が表示する色の変色の程度を「小」とし、「４＜｜Ｖgs｜≦８」を満たす場合には、
画素が表示する色の変色の程度を「中」とし、「８＜｜Ｖgs｜」を満たす場合には、画素
が表示する色の変色の程度が「大」とする。そして、変色の程度が「大」の場合に限り、
当該変色が電気光学装置１の利用者に視認される可能性が生じることとする。
すなわち、第ｍc行の走査線３２が選択される負極性期間Ｕ1において、画素ａの表示す
る色の変色の程度（黒くなる程度）は、期間Ｔ1及び期間Ｔ2において「大」であり、期間
Ｔ3において「中」であるため、画素ａの変色（黒色化）は、期間Ｔ1及び期間Ｔ2におい
て視認される可能性が生じる。
【００５９】
図１０（Ｂ）は、第ｍc行の走査線３２が選択される負極性期間Ｕ1において、対比例２
に係る駆動回路が画素ｃを負極性駆動することで画素ｃに対して「黒色」を表示させるた
めのデータ信号Ｖd［ｎ］を供給するときの、画素ｂにおけるリーク電流Ｉdsと電位差Ｖg
sとを示している。
「灰色」を表示する画素ｂの電位差ＶCLは「＋３Ｖ」であるため、画素ｂにおける電位
Ｖqは「＋７Ｖ」となる。よって、画素ｂでは、第ｍc行の走査線３２が選択される負極性
期間Ｕ1において、ノードＱに比べて低電位のノードＲが書込トランジスターＴrのソース
Ｓとなり、ノードＱからノードＲに向けてリーク電流Ｉdsが流れる。これにより、電位Ｖ
qの電位が降下し、電位差ＶCLは小さくなるため、画素ｂは、本来表示すべき「灰色」よ
りも白い色を表示することになる。
画素ｂの表示する色が白くなる程度（変色の程度）は、電位差Ｖgsが「−１０Ｖ」とな
る期間Ｔ1及び期間Ｔ2において「大」であり、電位差Ｖgsが「−６Ｖ」となる期間Ｔ3に
おいて「中」であるため、画素ｂの変色（白色化）は、期間Ｔ1及び期間Ｔ2において視認
される可能性が生じる。
【００６０】
このように、画素ａの変色（黒色化）は、期間Ｔ1及び期間Ｔ2において視認される可能
性が生じ、画素ｂの変色（白色化）は、期間Ｔ1及び期間Ｔ2において視認される可能性が
生じる。
しかし、画素ａの黒くなる程度（Ｖgs＝−１０Ｖ）と、画素ｂの白くなる程度（Ｖgs＝
−１０Ｖ）とは等しいため、画素ａの変色（黒色化）と、画素ｂの変色（白色化）とが相
殺され、画素ａ及び画素ｂは、全体として、本来表示すべき「灰色」を表示するものとし
て視認されることになる。
【００６１】
図１１（Ａ）は、第ｍd行の走査線３２が選択される正極性期間Ｕ2において、対比例２
に係る駆動回路が画素ｄを正極性駆動することで画素ｄに対して「黒色」を表示させるた
めのデータ信号Ｖd［ｎ］を供給するときの、画素ａにおけるリーク電流Ｉdsと電位差Ｖg
sとを示している。
上述したとおり、対比例２では、共通電極信号Ｖcomの電位は、正極性期間Ｕ2において
電位ＶcomＬに保たれる。また、上述した数値例では、「灰色」を表示する画素ａの電位
差ＶCLは「−３Ｖ」であり、電位ＶcomＬの電位は「−４Ｖ」であるため、画素ａにおけ
る電位Ｖqは「−７Ｖ」となる。よって、画素ａでは、第ｍd行の走査線３２が選択される
正極性期間Ｕ2において、ノードＲに比べて低電位のノードＱが書込トランジスターＴrの
ソースＳとなり、ノードＲからノードＱに向けてリーク電流Ｉdsが流れる。これにより、
電位Ｖqの電位が上昇し、電位差ＶCLは小さくなるため、画素ａは、本来表示すべき「灰
色」よりも白い色を表示する。
画素ａの表示する色が白くなる程度（変色の程度）は、電位差Ｖgsが「−３Ｖ」となる
期間Ｔ4〜Ｔ6において「小」である。このため、画素ａの変色（白色化）は、期間Ｔ4〜
Ｔ6において視認されない。
【００６２】
図１１（Ｂ）は、第ｍd行の走査線３２が選択される正極性期間Ｕ2において、対比例２
に係る駆動回路が画素ｄを正極性駆動することで画素ｄに対して「黒色」を表示させるた
めのデータ信号Ｖd［ｎ］を供給するときの、画素ｂにおけるリーク電流Ｉdsと電位差Ｖg
sとを示している。
「灰色」を表示する画素ｂの電位差ＶCLは「＋３Ｖ」であるため、画素ｂにおける電位
Ｖqは「−１Ｖ」となる。よって、画素ｂでは、第ｍd行の走査線３２が選択される正極性
期間Ｕ2において、ノードＲに比べて低電位のノードＱが書込トランジスターＴrのソース
Ｓとなり、ノードＲからノードＱに向けてリーク電流Ｉdsが流れる。これにより、電位Ｖ
qの電位が上昇し、電位差ＶCLは大きくなるため、画素ｂは、本来表示すべき「灰色」よ
りも黒い色を表示する。
画素ｂの表示する色が黒くなる程度（変色の程度）は、電位差Ｖgsが「−９Ｖ」となる
期間Ｔ4〜Ｔ6の全てにおいて「大」となる。このため、画素ｂの変色（黒色化）は、期間
Ｔ4〜Ｔ6において視認される可能性が生じる。
【００６３】
このように、画素ａの変色（白色化）は、期間Ｔ4〜Ｔ6において視認されず、画素ｂの
変色（黒色化）は、期間Ｔ4〜Ｔ6の全てにおいて視認される可能性が生じる。つまり、画
素ｂは、１水平走査期間Ｈの全ての期間（期間Ｔ4〜Ｔ6）において、変色（黒色化）が視
認される可能性を有するため、１水平走査期間Ｈ全体では、画素ｂの変色（黒色化）が視
認される可能性は高くなる。よって、画素ａ及び画素ｂは、全体として、本来表示すべき
「灰色」よりも黒い色を表示するものとして視認される。
【００６４】
このように、「灰色」を表示する画素のうち、「黒色」を表示する画素と同じ列に位置
する画素であって、正極性期間Ｕ2においてデータ信号Ｖd［ｎ］が供給される画素が、本
来表示すべき「灰色」よりも黒い色を表示する。
このため、表示部３０には、図４に示すような、「灰色」の背景と「黒色」のウインド
ウとが表された画像が表示されるかわりに、図１２に示すような、「黒色」のウインドウ
の上下の領域が、本来の背景色の「灰色」よりも黒い色の縦筋（縦クロストーク）が表さ
れた画像が表示されることになる。
このような縦クロストークが生じると、入力画像データＤinの示す画像を正確に表示で
きなくなるため、表示品位は劣化する。
【００６５】
図１３及び図１４は、本実施形態に係る電気光学装置１が、上述した数値例と同様の前
提の下で図４に示す画像を表示する場合に、「灰色」を表示している画素ａ及び画素ｂに
おいて生じるリーク電流Ｉdsと、当該リーク電流Ｉdsによる画素ａ及び画素ｂの表示色の
変化と、の関係を説明するための説明図である。
【００６６】
図１３（Ａ）は、第ｍc行の走査線３２が選択される負極性期間Ｕ1において、本実施形
態に係る駆動回路２０が画素ｃを負極性駆動することで画素ｃに対して「黒色」を表示さ
せるためのデータ信号Ｖd［ｎ］を供給するときの、画素ａにおけるリーク電流Ｉdsと電
位差Ｖgsとを示している。
上述したとおり、本実施形態において、共通電極信号Ｖcomの電位は、負極性期間Ｕ1の
うち、期間Ｔ1において電位ＶcomＬに設定され、期間Ｔ2及び期間Ｔ3において電位Ｖcom
Ｈに設定される。上述した数値例では、「灰色」を表示する画素ａの電位差ＶCLが「−３
Ｖ」であるため、画素ａにおける電位Ｖqは、負極性期間Ｕ1のうち、期間Ｔ1において「
−７Ｖ」となり、期間Ｔ2及び期間Ｔ3において「＋１Ｖ」となる。
よって、画素ａでは、第ｍc行の走査線３２が選択される負極性期間Ｕ1のうち、期間Ｔ
1において、ノードＲに比べて低電位のノードＱが書込トランジスターＴrのソースＳとな
り、ノードＲからノードＱに向けてリーク電流Ｉdsが流れる。これにより、電位Ｖqの電
位が上昇し、電位差ＶCLは小さくなるため、画素ａは、本来表示すべき「灰色」よりも白
い色を表示する。逆に、期間Ｔ2及び期間Ｔ3では、ノードＱに比べて低電位のノードＲが
書込トランジスターＴrのソースＳとなり、ノードＱからノードＲに向けてリーク電流Ｉd
sが流れる。これにより、電位Ｖqの電位が降下し、電位差ＶCLは大きくなるため、画素ａ
は、本来表示すべき「灰色」よりも黒い色を表示する。
画素ａにおける電位差Ｖgsは、期間Ｔ1では「−３Ｖ」であり、期間Ｔ2では「−１０Ｖ
」であり、期間Ｔ3では「−６Ｖ」である。このため、画素ａの変色のうち、期間Ｔ2にお
ける変色（黒色化）のみが、視認される可能性が生じることになる。
【００６７】
図１３（Ｂ）は、第ｍc行の走査線３２が選択される負極性期間Ｕ1において、本実施形
態に係る駆動回路２０が画素ｃを負極性駆動することで画素ｃに対して「黒色」を表示さ
せるためのデータ信号Ｖd［ｎ］を供給するときの、画素ｂにおけるリーク電流Ｉdsと電
位差Ｖgsとを示している。
上述した数値例では、「灰色」を表示する画素ｂの電位差ＶCLが「＋３Ｖ」であるため
、画素ｂにおける電位Ｖqは、負極性期間Ｕ1のうち、期間Ｔ1において「−１Ｖ」となり
、期間Ｔ2及び期間Ｔ3において「＋７Ｖ」となる。
よって、画素ｂでは、第ｍc行の走査線３２が選択される負極性期間Ｕ1のうち、期間Ｔ
1において、ノードＲに比べて低電位のノードＱが書込トランジスターＴrのソースＳとな
り、ノードＲからノードＱに向けてリーク電流Ｉdsが流れる。これにより、電位Ｖqの電
位が上昇し、電位差ＶCLは大きくなるため、画素ｂは、本来表示すべき「灰色」よりも黒
い色を表示する。逆に、期間Ｔ2及び期間Ｔ3では、ノードＱに比べて低電位のノードＲが
書込トランジスターＴrのソースＳとなり、ノードＱからノードＲに向けてリーク電流Ｉd
sが流れる。これにより、電位Ｖqの電位が降下し、電位差ＶCLは小さくなるため、画素ｂ
は、本来表示すべき「灰色」よりも白い色を表示する。
画素ｂにおける電位差Ｖgsは、期間Ｔ1では「−９Ｖ」であり、期間Ｔ2では「−１０Ｖ
」であり、期間Ｔ3では「−６Ｖ」である。このため、画素ｂの変色のうち、期間Ｔ1にお
ける変色（黒色化）、及び、期間Ｔ2における変色（白色化）について、視認される可能
性が生じることになる。
【００６８】
このように、期間Ｔ1では、画素ｂの黒色化について、視認される可能性が生じ、期間
Ｔ2では、画素ａの黒色化と、画素ｂの白色化について、視認される可能性が生じる。期
間Ｔ2における、画素ａの黒色化の程度（Ｖgs＝−１０Ｖ）と、画素ｂの白色化の程度（
Ｖgs＝−１０Ｖ）とは等しいため、両者は相殺される。この結果、期間Ｔ1における、画
素ｂの黒色化のみ、視認される可能性が生じる。しかし、期間Ｔ1は、水平走査期間Ｈの
うちの一部の期間であり、期間Ｔ1における、画素ｂの黒色化が、視認される可能性は低
い。
【００６９】
図１４（Ａ）は、第ｍd行の走査線３２が選択される正極性期間Ｕ2において、本実施形
態に係る駆動回路２０が画素ｄを負極性駆動することで画素ｄに対して「黒色」を表示さ
せるためのデータ信号Ｖd［ｎ］を供給するときの、画素ａにおけるリーク電流Ｉdsと電
位差Ｖgsとを示している。
上述したとおり、本実施形態において、共通電極信号Ｖcomの電位は、正極性期間Ｕ2の
うち、期間Ｔ4において電位ＶcomＨに設定され、期間Ｔ5及び期間Ｔ6において電位Ｖcom
Ｌに設定される。上述した数値例では、「灰色」を表示する画素ａの電位差ＶCLが「−３
Ｖ」であるため、画素ａにおける電位Ｖqは、正極性期間Ｕ2のうち、期間Ｔ4において「
＋１Ｖ」となり、期間Ｔ5及び期間Ｔ6において「−７Ｖ」となる。
よって、画素ａでは、第ｍd行の走査線３２が選択される正極性期間Ｕ2のうち、期間Ｔ
4において、ノードＱに比べて低電位のノードＲが書込トランジスターＴrのソースＳとな
り、ノードＱからノードＲに向けてリーク電流Ｉdsが流れる。これにより、電位Ｖqの電
位が降下し、電位差ＶCLは大きくなるため、画素ａは、本来表示すべき「灰色」よりも黒
い色を表示する。逆に、期間Ｔ5及び期間Ｔ6では、ノードＲに比べて低電位のノードＱが
書込トランジスターＴrのソースＳとなり、ノードＲからノードＱに向けてリーク電流Ｉd
sが流れる。これにより、電位Ｖqの電位が上昇し、電位差ＶCLは小さくなるため、画素ａ
は、本来表示すべき「灰色」よりも白い色を表示する。
画素ａにおける電位差Ｖgsは、期間Ｔ4では「−１０Ｖ」であり、期間Ｔ5では「−３Ｖ
」であり、期間Ｔ6では「−３Ｖ」である。このため、画素ａの変色のうち、期間Ｔ4にお
ける変色（黒色化）のみが、視認される可能性が生じることになる。
【００７０】
図１４（Ｂ）は、第ｍd行の走査線３２が選択される正極性期間Ｕ2において、本実施形
態に係る駆動回路２０が画素ｄを負極性駆動することで画素ｄに対して「黒色」を表示さ
せるためのデータ信号Ｖd［ｎ］を供給するときの、画素ｂにおけるリーク電流Ｉdsと電
位差Ｖgsとを示している。
上述した数値例では、「灰色」を表示する画素ｂの電位差ＶCLが「＋３Ｖ」であるため
、画素ｂにおける電位Ｖqは、正極性期間Ｕ2のうち、期間Ｔ4において「＋７Ｖ」となり
、期間Ｔ5及び期間Ｔ6において「−１Ｖ」となる。
よって、画素ｂでは、第ｍd行の走査線３２が選択される正極性期間Ｕ2のうち、期間Ｔ
4において、ノードＱに比べて低電位のノードＲが書込トランジスターＴrのソースＳとな
り、ノードＱからノードＲに向けてリーク電流Ｉdsが流れる。これにより、電位Ｖqの電
位が降下し、電位差ＶCLは小さくなるため、画素ｂは、本来表示すべき「灰色」よりも白
い色を表示する。逆に、期間Ｔ5及び期間Ｔ6では、ノードＲに比べて低電位のノードＱが
書込トランジスターＴrのソースＳとなり、ノードＲからノードＱに向けてリーク電流Ｉd
sが流れる。これにより、電位Ｖqの電位が上昇し、電位差ＶCLは大きくなるため、画素ｂ
は、本来表示すべき「灰色」よりも黒い色を表示する。
画素ｂにおける電位差Ｖgsは、期間Ｔ4では「−１０Ｖ」であり、期間Ｔ5では「−９Ｖ
」であり、期間Ｔ6では「−９Ｖ」である。このため、画素ｂの変色のうち、期間Ｔ4にお
ける変色（白色化）、並びに、期間Ｔ5及び期間Ｔ6における変色（白色化）について、視
認される可能性が生じることになる。
【００７１】
このように、期間Ｔ4では、画素ａの黒色化と、画素ｂの白色化について、視認される
可能性が生じ、期間Ｔ5及び期間Ｔ6では、画素ｂの黒色化について、視認される可能性が
生じる。期間Ｔ4における、画素ａの黒色化の程度（Ｖgs＝−１０Ｖ）と、画素ｂの白色
化の程度（Ｖgs＝−１０Ｖ）とは等しいため、両者は相殺される。この結果、期間Ｔ5及
び期間Ｔ6における画素ｂの黒色化のみ、視認される可能性が生じる。しかし、期間Ｔ5及
び期間Ｔ6は、水平走査期間Ｈのうちの一部の期間であるため、対比例２のような、１水
平走査期間Ｈ全体において画素ｂの変色（黒色化）が視認される可能性を有する場合と比
較した場合、期間Ｔ5及び期間Ｔ6における画素ｂの黒色化が視認される可能性は低い。
【００７２】
このように、本実施形態では、１水平走査期間Ｈのうち一部の期間においてのみ画素ｂ
の変色（黒色化）が視認される可能性が生じるものに過ぎないため、１水平走査期間Ｈ全
体において画素ｂの変色（黒色化）が視認される可能性を有する対比例２と比較して、画
素ｂの変色（黒色化）が視認される可能性を低くすることができる。換言すれば、本実施
形態では、対比例２に比べて、縦クロストークの発生する可能性を低くすることができ、
また、仮に縦クロストークが生じた場合であっても、当該縦クロストークが視認される可
能性を低く抑えることができる。
【００７３】
＜Ｂ．第２実施形態＞  
第１実施形態に係る電気光学装置１は、データ信号Ｖd［ｎ］の電位を、電位ＶcomＬ以
上で、且つ、電位ＶcomＨ以下の範囲で変化させた。
これに対して、第２実施形態では、データ信号Ｖd［ｎ］の電位を、電位ＶcomＬよりも
小さい電位、または、電位ＶcomＨよりも大きい電位を含む範囲で変化させる点において
、第１実施形態と相違する。
なお、第２実施形態に係る電気光学装置は、期間Ｔ1において共通電極信号Ｖcomを電位
ＶcomＨに設定し、期間Ｔ4において共通電極信号Ｖcomを電位ＶcomＬに設定する点と、プ
リチャージ電位Ｖpr2が電位ＶcomＬよりも低い電位である点と、を除いて、
第１実施形態に係る電気光学装置１と同様に構成されているものとする。
【００７４】
図１５は、第２実施形態に係る電気光学装置が図４に示す例示画像を表示する場合に、
「黒色」を表示する画素ｃ及び画素ｄのぞれぞれに供給されるデータ信号Ｖd［ｎ］及び
共通電極信号Ｖcomと、画素ｃ及び画素ｄのそれぞれの液晶素子ＣLに印加される電圧（電
位差ＶCL）との関係を説明するための説明図である。
より具体的には、図１５は、第ｍc行の走査線３２が選択される負極性期間Ｕ1において
、第２実施形態に係る駆動回路２０が画素ｃを負極性駆動して、画素ｃにデータ信号Ｖd
［ｎ］が供給される様子と、第ｍd行の走査線３２が選択される正極性期間Ｕ2において、
第２実施形態に係る駆動回路２０が画素ｄを正極性駆動して、画素ｄにデータ信号Ｖd［
ｎ］が供給される様子と、を示す説明図である。
【００７５】
この図に示すように、第２実施形態に係る電源供給回路２６は、共通電極信号Ｖcomを
負極性期間Ｕ1において電位ＶcomＨ（この例では「＋４Ｖ」）に設定し、正極性期間Ｕ2
において電位ＶcomＬ（この例では「−４Ｖ」）に設定する。
また、第２実施形態に係るデータ線駆動回路２４は、データ信号Ｖd［ｎ］を、期間Ｔ1
及び期間Ｔ2において、プリチャージ電位Ｖpr1に設定し、期間Ｔ3において、データ電位
Ｖdt1［ｎ］に設定し、期間Ｔ4及び期間Ｔ5において、プリチャージ電位Ｖpr2に設定し、
期間Ｔ6において、データ電位Ｖdt2［ｎ］に設定する。
なお、第２実施形態では、プリチャージ電位Ｖpr2を、電位ＶcomＬよりも低い電位に定
める。図１５に示す例では、電位ＶcomＨ及び電位ＶdＨを「＋４Ｖ」とし、電位ＶcomＬ
を「−４Ｖ」とし、電位ＶdＬを「−８Ｖ」とし、プリチャージ電位Ｖpr1を「０Ｖ」とし
、プリチャージ電位Ｖpr2を「−８Ｖ」としている。
なお、図１５に示す例は、プリチャージ電位Ｖpr2及び電位ＶdＬが「−８Ｖ」である点
を除き、上述した数値例と同様である。
【００７６】
図１５に示すように、第ｍc行の走査線３２が選択される負極性期間Ｕ1において、画素
ｃにおける電位差ＶCLは、期間Ｔ1では「−４Ｖ」に設定され、期間Ｔ2では「−４Ｖ」に
設定され、期間Ｔ3では「−８Ｖ」に設定される。この結果、画素ｃにおける電位差ＶCL
は「−８Ｖ」に設定され、次の表示期間Ｆにおいて第ｍc行の走査線３２が選択されるま
での間、画素ｃは「黒色」を表示する。
また、第ｍd行の走査線３２が選択される正極性期間Ｕ2において、画素ｄにおける電位
差ＶCLは、期間Ｔ4では「−４Ｖ」に設定され、期間Ｔ5では「−４Ｖ」に設定され、期間
Ｔ6では「＋８Ｖ」に設定される。この結果、画素ｄにおける電位差ＶCLは「＋８Ｖ」に
設定され、次の表示期間Ｆにおいて第ｍd行の走査線３２が選択されるまでの間、画素ｄ
は「黒色」を表示する。
【００７７】
次に、図１６を参照しつつ、第２実施形態に係る電気光学装置が、図４に示す画像を表
示する場合に、「灰色」を表示している画素ａ及び画素ｂにおいて生じるリーク電流Ｉds
と、当該リーク電流Ｉdsによる画素ａ及び画素ｂの表示色の変化と、の関係を説明する。
なお、図示は省略するが、図１６に示す例においても、図４及び図５の場合と同様に、
第ｍa行の走査線３２が選択される負極性期間Ｕ1において供給されるデータ電位Ｖdt1［
ｎ］により、画素ａの電位差ＶCLは「−３Ｖ」に設定され、第ｍb行の走査線３２が選択
される正極性期間Ｕ2において供給されるデータ電位Ｖdt2［ｎ］により、画素ｂの電位差
ＶCLは「＋３Ｖ」に設定され、これら画素ａ及び画素ｂは、「灰色」を表示していること
を前提とする。
また、第ｍc行の走査線３２が選択される負極性期間Ｕ1において、本実施形態に係る駆
動回路２０が画素ｃを負極性駆動することで画素ｃに対して「黒色」を表示させるための
データ信号Ｖd［ｎ］を供給するときの、画素ａ及び画素ｂにおけるリーク電流Ｉds及び
電位差Ｖgsは、対比例２の場合（図１０）と同様であるため、説明を省略する。
【００７８】
図１６（Ａ）は、第ｍd行の走査線３２が選択される正極性期間Ｕ2において、第２実施
形態に係る駆動回路が画素ｄを正極性駆動することで画素ｄに対して「黒色」を表示させ
るためのデータ信号Ｖd［ｎ］を供給するときの、画素ａにおけるリーク電流Ｉdsと電位
差Ｖgsとを示している。
上述したとおり、第２実施形態では、共通電極信号Ｖcomの電位は、正極性期間Ｕ2にお
いて電位ＶcomＬに保たれる。また、上述のとおり、「灰色」を表示する画素ａの電位差
ＶCLを「−３Ｖ」とするため、正極性期間Ｕ2において、画素ａにおける電位Ｖqは「−７
Ｖ」となる。よって、画素ａでは、第ｍd行の走査線３２が選択される正極性期間Ｕ2のう
ち、期間Ｔ4及び期間Ｔ5において、ノードＱに比べて低電位のノードＲが書込トランジス
ターＴrのソースＳとなり、ノードＱからノードＲに向けてリーク電流Ｉdsが流れる。こ
れにより、電位Ｖqの電位が降下し、電位差ＶCLは大きくなるため、画素ａは、本来表示
すべき「灰色」よりも黒い色を表示する。逆に、期間Ｔ6では、ノードＲに比べて低電位
のノードＱが書込トランジスターＴrのソースＳとなり、ノードＲからノードＱに向けて
リーク電流Ｉdsが流れる。これにより、電位Ｖqの電位が上昇し、電位差ＶCLは小さくな
るため、画素ａは、本来表示すべき「灰色」よりも白い色を表示する。
画素ａにおける電位差Ｖgsは、期間Ｔ4では「−２Ｖ」であり、期間Ｔ5では「−２Ｖ」
であり、期間Ｔ6では「−３Ｖ」である。このため、画素ａの変色は、期間Ｔ4〜Ｔ6にお
けて視認されない。
【００７９】
図１６（Ｂ）は、第ｍd行の走査線３２が選択される正極性期間Ｕ2において、第２実施
形態に係る駆動回路が画素ｄを負極性駆動することで画素ｄに対して「黒色」を表示させ
るためのデータ信号Ｖd［ｎ］を供給するときの、画素ｂにおけるリーク電流Ｉdsと電位
差Ｖgsとを示している。
上述のとおり、この図に示す例では、「灰色」を表示する画素ｂの電位差ＶCLを「＋３
Ｖ」とするため、正極性期間Ｕ2において、画素ｂにおける電位Ｖqは「−１Ｖ」となる。
よって、画素ｂでは、第ｍd行の走査線３２が選択される正極性期間Ｕ2のうち、期間Ｔ
4及び期間Ｔ5において、ノードＱに比べて低電位のノードＲが書込トランジスターＴrの
ソースＳとなり、ノードＱからノードＲに向けてリーク電流Ｉdsが流れる。これにより、
電位Ｖqの電位が降下し、電位差ＶCLは小さくなるため、画素ｂは、本来表示すべき「灰
色」よりも白い色を表示する。逆に、期間Ｔ6では、ノードＲに比べて低電位のノードＱ
が書込トランジスターＴrのソースＳとなり、ノードＲからノードＱに向けてリーク電流
Ｉdsが流れる。これにより、電位Ｖqの電位が上昇し、電位差ＶCLは大きくなるため、画
素ｂは、本来表示すべき「灰色」よりも黒い色を表示する。
画素ｂにおける電位差Ｖgsは、期間Ｔ4では「−２Ｖ」であり、期間Ｔ5では「−２Ｖ」
であり、期間Ｔ6では「−９Ｖ」である。このため、画素ｂの変色のうち、期間Ｔ6におけ
る変色（黒色化）のみが、視認される可能性が生じることになる。
【００８０】
このように、第２実施形態では、期間Ｔ6における画素ｂの変色（黒色化）のみが、視
認される可能性を有する。しかし、期間Ｔ6は、水平走査期間Ｈのうちの一部の期間であ
るため、対比例２のような、１水平走査期間Ｈ全体において画素ｂの変色（黒色化）が視
認される可能性を有する場合と比較した場合、期間Ｔ5及び期間Ｔ6における画素ｂの黒色
化が視認される可能性は低い。
【００８１】
このように、第２実施形態では、１水平走査期間Ｈのうち一部の期間においてのみ画素
ｂの変色（黒色化）が視認される可能性が生じるものに過ぎないため、１水平走査期間Ｈ
全体において画素ｂの変色（黒色化）が視認される可能性を有する対比例２と比較して、
画素ｂの変色（黒色化）が視認される可能性を低くすることができる。換言すれば、第２
実施形態では、対比例２に比べて、縦クロストークの発生する可能性を低くすることがで
き、また、仮に縦クロストークが生じた場合であっても、当該縦クロストークが視認され
る可能性を低く抑えることができる。
【００８２】
また、第２実施形態では、例えば上述した数値例において、データ信号Ｖd［ｎ］の電
位を「−８Ｖ」〜「＋４Ｖ」の１２Ｖの幅で変化させることで、電位差ＶCLを「−８Ｖ」
〜「＋８Ｖ」の１６Ｖの幅で変化させることができる。
すなわち、第２実施形態に係る電気光学装置は、対比例１と比較して、電位差ＶCLの変
化幅に対するデータ信号Ｖd［ｎ］の電位の変化幅を小さく抑えることができる。このた
め、第２実施形態に係る電気光学装置は、対比例１と比較して、データ線駆動回路２４の
駆動能力を低く抑えることができるとともに、データ線３４の電位変動がノードＱ等に伝
播することに起因する表示画質の劣化を抑制することができる。
【００８３】
＜Ｃ．変形例＞  
以上の各形態は多様に変形され得る。具体的な変形の態様を以下に例示する。以下の例
示から任意に選択された２以上の態様は、相互に矛盾しない範囲内で適宜に併合され得る
。
【００８４】
＜変形例１＞
上述した第１実施形態では、最初の水平走査期間Ｈが負極性期間Ｕ1となる表示期間Ｆ
と、最初の水平走査期間Ｈが正極性期間Ｕ2となる表示期間Ｆとが存在するが、本発明は
このような態様に限定されるものではなく、例えば第１実施形態において表示期間Ｆの最
初の水平走査期間Ｈが、負極性期間Ｕ1または正極性期間Ｕ2の何れか一方に固定的に割り
当てられる態様であってもよい。
この場合であっても、負極性期間Ｕ1の期間Ｔ1及び期間Ｔ2の間、並びに、正極性期間
Ｕ2の期間Ｔ4及び期間Ｔ5の間で、電位差ＶCLの極性が反転するため、液晶素子ＣLにおい
て焼き付きの発生を抑制することができる。
【００８５】
＜変形例２＞
上述した第１実施形態及び変形例では、負極性期間Ｕ1において負極性駆動をし、正極
性期間Ｕ2において正極性駆動をするが、これは一例に過ぎず、負極性期間Ｕ1において正
極性駆動をし、正極性期間Ｕ2において負極性駆動をしてもよい。
すなわち、電源供給回路２６は、期間Ｔ1（またはＴ4）における共通電極信号Ｖcomの
電位と、期間Ｔ2（またはＴ5）における共通電極信号Ｖcomの電位とが、プリチャージ電
位Ｖpr1（またはＶpr2）を基準として逆極性になるように、共通電極信号Ｖcomの電位を
設定すればよい。
この場合、データ線駆動回路２４は、期間Ｔ3（またはＴ6）におけるデータ電位Ｖdt1
［ｎ］（またはＶdt2［ｎ］）が、期間Ｔ2（またはＴ5）における共通電極信号Ｖcomの電
位を基準として、期間Ｔ2（またはＴ5）におけるプリチャージ電位Ｖpr1（またはＶpr2）
と同極性となるように、データ信号Ｖd［ｎ］の電位を設定することが好ましい。
【００８６】
＜変形例３＞
上述した実施形態及び変形例において、極性信号Ｐolは、表示期間Ｆ毎に極性が反転し
、且つ、水平走査期間Ｈ毎に極性が反転するが、本発明は上述のような態様に限定される
ものではない。
例えば、複数の表示期間Ｆ毎に極性が反転するものであってもよいし、または、複数の
水平走査期間Ｈ毎に極性が反転するものであってもよい。具体的には、ある表示期間Ｆに
おいて、１番目の水平走査期間Ｈと２番目の水平走査期間Ｈとを、負極性期間Ｕ1とし、
３番目の水平走査期間Ｈと４番目の水平走査期間Ｈとを、正極性期間Ｕ2とする、という
具合に、２水平走査期間Ｈ毎に極性を切り替えてもよい。この場合、上述した実施形態と
比較して極性反転の周期を長くすることできるため、データ線３４の電位の極性変化の回
数を少なくすることが可能となり、画質の劣化の程度を小さく抑えることが可能となる。
なお、本明細書では、各水平走査期間Ｈの負極性期間Ｕ1または正極性期間Ｕ2への割り
当てを、極性信号Ｐolに基づいて実行する態様としているが、この態様は一例に過ぎず、
各水平走査期間Ｈの負極性期間Ｕ1または正極性期間Ｕ2への割り当ては、どのような方法
で行ってもよい。例えば、水平同期信号Ｈsncがアクティブとなる回数をカウントするカ
ウンターを備え、当該カウンターのカウント値に基づいて、各水平走査期間Ｈを負極性期
間Ｕ1または正極性期間Ｕ2に割り当ててもよい。
【００８７】
＜変形例４＞
上述した実施形態及び変形例では、例えば図３に示すように、負極性期間Ｕ1が期間Ｔ1
、期間Ｔ2、及び、期間Ｔ3に区分されるが、負極性期間Ｕ1は、期間Ｔ1〜Ｔ3以外の期間
を含んでいてもよい。換言すれば、期間Ｔ1は、負極性期間Ｕ1の開始よりも後に開始され
、期間Ｔ2は、期間Ｔ1の終了よりも後に開始され、期間Ｔ3は、期間Ｔ2の終了よりも後に
開始され、負極性期間Ｕ1は、期間Ｔ3の終了よりも後に終了してもよい。同様に、正極性
期間Ｕ2は、期間Ｔ4〜Ｔ6以外の期間を含んでいてもよい。
【００８８】
＜変形例５＞
上述した実施形態及び変形例において、走査線駆動回路２２は、例えば図３に示すよう
に、第ｍ行の走査線３２が選択される負極性期間Ｕ1の全期間、または、第ｍ行の走査線
３２が選択される正極性期間Ｕ2の全期間において、走査信号Ｇ［ｍ］を所定の選択電位
に設定するが、本発明は上述のような態様に限定されるものではなく、第ｍ行の走査線３
２が選択される負極性期間Ｕ1のうち期間Ｔ3において、または、第ｍ行の走査線３２が選
択される正極性期間Ｕ2のうち期間Ｔ6において、走査信号Ｇ［ｍ］を所定の選択電位に設
定してもよい。
この場合には、画素電極４２に対してプリチャージ電位を供給することはできないが、
データ線３４に対してプリチャージ電位を供給することができるため、画素に対するデー
タ電位の書込を容易にすることができる。
【００８９】
＜変形例６＞
上述した実施形態及び変形例において、データ線駆動回路２４は、例えば図３に示すよ
うに、期間Ｔ3の全期間または期間Ｔ6の全期間において、第ｎ列のデータ線３４にデータ
電位を供給するが、本発明はこのような態様に限定されるものではなく、例えば、期間Ｔ
3または期間Ｔ6をＮ個に分割して、分割された期間毎に、第１列〜第Ｎ列のデータ線３４
に順番にデータ電位を供給してもよい。また、Ｎ本のデータ線を、複数本ずつ所定数の組
に区分するとともに、期間Ｔ3または期間Ｔ6を所定数に分割し、分割された期間毎に、各
組のデータ線３４に対してデータ電位を供給してもよい。
【００９０】
＜変形例７＞
上述した実施形態及び変形例において、書込トランジスターＴrは、Ｎチャネル型のト
ランジスターであるが、Ｐチャネル型のトランジスターであってもよい。
【００９１】
＜Ｄ．応用例＞
以上の各形態に例示した電気光学装置１は、各種の電子機器に利用され得る。
図１７から図１９には、電気光学装置１を採用した電子機器の具体的な形態が例示されて
いる。
【００９２】
図１７は、電気光学装置１を適用した投射型表示装置（３板式のプロジェクター）４０
００の模式図である。投射型表示装置４０００は、相異なる表示色（赤色，緑色，青色）
に対応する３個の電気光学装置１（１０R，１０G，１０B）を含んで構成される。照明光
学系４００１は、照明装置（光源）４００２からの出射光のうち赤色成分ｒを電気光学装
置１Rに供給し、緑色成分ｇを電気光学装置１Gに供給し、青色成分ｂを電気光学装置１B
に供給する。各電気光学装置１は、照明光学系４００１から供給される各単色光を表示画
像に応じて変調する光変調器（ライトバルブ）として機能する。投射光学系４００３は、
各電気光学装置１からの出射光を合成して投射面４００４に投射する。観察者は、投射面
４００４に投射された画像を視認する。
【００９３】
図１８は、電気光学装置１を採用した可搬型のパーソナルコンピューターの斜視図であ
る。パーソナルコンピューター２０００は、各種の画像を表示する電気光学装置１と、電
源スイッチ２００１やキーボード２００２が設置された本体部２０１０とを具備する。
【００９４】
図１９は、電気光学装置１を適用した携帯電話機の斜視図である。携帯電話機３０００
は、複数の操作ボタン３００１及びスクロールボタン３００２と、各種の画像を表示する
電気光学装置１とを備える。スクロールボタン３００２を操作することによって、電気光
学装置１に表示される画面がスクロールされる。
【００９５】
なお、本発明に係る電気光学装置が適用される電子機器としては、図１７から図１９に
例示した機器のほか、携帯情報端末（ＰＤＡ：Personal Digital Assistants），デジタ
ルスチルカメラ，テレビ，ビデオカメラ，カーナビゲーション装置，車載用の表示器（イ
ンパネ），電子手帳，電子ペーパー，電卓，ワードプロセッサ，ワークステーション，テ
レビ電話，ＰＯＳ端末，プリンター，スキャナー，複写機，ビデオプレーヤー，タッチパ
ネルを備えた機器等などが挙げられる。
【符号の説明】
【００９６】
１……電気光学装置、１０……電気光学パネル、２０……駆動回路、２２……走査線駆
動回路、２４……データ線駆動回路、２６……電源供給回路、３０……表示部、３２……
走査線、３４……データ線、５０……表示制御回路、ＰX……画素回路、ＣL……液晶素子
、Ｔr……書込トランジスター。
【図１】
2015197581.tif 000003
【図２】
2015197581.tif 000004
【図３】
2015197581.tif 000005
【図４】
2015197581.tif 000006
【図５】
2015197581.tif 000007
【図６】
2015197581.tif 000008
【図７】
2015197581.tif 000009
【図８】
2015197581.tif 000010
【図９】
2015197581.tif 000011
【図１０】
2015197581.tif 000012
【図１１】
2015197581.tif 000013
【図１２】
2015197581.tif 000014
【図１３】
2015197581.tif 000015
【図１４】
2015197581.tif 000016
【図１５】
2015197581.tif 000017
【図１６】
2015197581.tif 000018
【図１７】
2015197581.tif 000019
【図１８】
2015197581.tif 000020
【図１９】
2015197581.tif 000021